(57)【特許請求の範囲】
【請求項１】
堤体の上部上流側にステージを設置し、該ステージに導水壁と上下動自在な仕切りゲートにより前記堤体の壁面を囲んで貯水プールを形成し、前記堤体の壁面に下流へ通じる開口部を明けると共に隔壁を設け、前記仕切りゲートの上流側部に鉛直方向に設けられた架構内に搬送ボックスを昇降自在に設け、該搬送ボックスの前記仕切りゲート側側壁を回動自在に取付け、該側壁の上部に、仕切りゲートに突出させて形成したカムに接触するローラを設置し、前記ステージに前記貯水プールに給水するための配管を設置したことを特徴とする昇降式魚道装置。
【請求項２】
開口部に制水ゲートを設け、隔壁の下流側に魚道を構築したことを特徴とする請求項１記載の昇降式魚道装置。
【請求項３】
搬送ボックスの天井部にシャワー用配管を設け、床面には魚の好む彩色を放つ水中ランプを取付けたことを特徴とする請求項１記載の昇降式魚道装置。
【請求項４】
搬送ボックスの床面に明けた孔に自重で閉じる蓋を設け、前記搬送ボックスの周囲側壁の中間高さ位置に水抜き孔を明けると共に、該側壁の上端に上下動自在に張った金網壁と、該搬送ボックスの下端に上下動自在に設けた重り兼フロートとをワイヤで連結したことを特徴とする請求項１記載の昇降式魚道装置。
【請求項５】
ステージに設置した配管に電力などによる発熱体を取付けたことを特徴とする請求項１記載の昇降式魚道装置。
【発明の詳細な説明】
【０００１】
【産業上の利用分野】
本発明は、高落差のある堤体または水位変動が大きい河川において、魚の遡上、下降を支援するための昇降式魚道装置に関するものである。
【０００２】
【従来の技術】
河川に河川横断構造物（堰、頭首工、落差工、ダム等）を構築する場合には魚道を付設することが一般的になってきているが、遡上期、降下期に取付けるものや常置するものがある。図２３に示すエレベータ式魚道１は従来から提案されており、遡上期、降下期に作動させている。エレベータ式魚道１は垂直に形成した通路２とその内部に上下動自在に取付けた収容ボックス３とこれを昇降させる巻上機４とを有し、上流側の導水池５に魚を搬送させるようになっている。収容ボックス３は、上昇して最上位置で傾けて魚を放流するものや、ボックス側面を開いて放流するものがある。
【０００３】
【発明が解決しようとする課題】
ところで、上記の魚道１では遡上魚を対象にしており、また、ダム（河川横断構造物を云う）の上流水位が一定で変動のないことが前提になっている。このため、高落差を有するダム本体において、貯水面水位が下がったときは遡上魚を収容ボックス３でわざわざ高い位置に持ち上げるという無駄な作業をすることになり、また、下降魚の場合には下流へ行く手段がとぎれてしまうことになる。
【０００４】
本発明は、ダムの貯水面等、上流水位が変動してもこれに影響されずに魚の遡上、降下を支援できる昇降式魚道装置を提供することを目的とする。
【０００５】
【課題を解決するための手段】
本発明は上記目的を達成するために、堤体の上部上流側にステージを設置し、該ステージに導水壁と上下動自在な仕切りゲートにより前記堤体の壁面を囲んで貯水プールを形成し、前記堤体の壁面に下流へ通じる開口部を明けると共に隔壁を設け、前記仕切りゲートの上流側部に鉛直方向に設けられた架構内に搬送ボックスを昇降自在に設け、該搬送ボックスの前記仕切りゲート側側壁を回動自在に取付け、該側壁の上部に、仕切りゲートに突出させて形成したカムに接触するローラを設置し、前記ステージに前記貯水プールに給水するための配管を設置したことを特徴とする。
【０００６】
上記、装置に対し、開口部に制水ゲートを設け、隔壁の下流側に魚道を構築したことを特徴とする。また、搬送ボックスの天井部にシャワー用配管を設け、床面には魚の好む彩色を放つ水中ランプを取付けたことを特徴とする。
【０００７】
また、搬送ボックスの床面に明けた孔に自重で閉じる蓋を設け、前記搬送ボックスの周囲側壁の中間高さ位置に水抜き孔を明けると共に、該側壁の上端に上下動自在に張った金網壁と、該搬送ボックスの下端に上下動自在に設けた重り兼フロートとをワイヤで連結したことを特徴とする。また、ステージに設置した配管に電力などによる発熱体を取付けたことを特徴とする。
【０００８】
【作用】
本発明は上記のように構成したものであり、仕切りゲートは全閉の状態で貯水プールの壁面として使用され、貯水プールには揚水ポンプを作動させて給水用配管から水を供給する。過剰の水は開口部を通り隔壁を越流して下流に流れる。遡上魚はその生態からして、貯水プールから下流（魚道）に流れる水に導かれ、この魚道を遡って貯水プールに集まることになる。
搬送ボックスは貯水プールの貯溜水を収容するため、仕切りゲートの下端位置に搬送ボックスの上部を合わせるように引き上げて受入準備をしておく。
貯水プールに充分に魚が集まった状態または一定時間経過した後、仕切りゲートを全開すると、貯水プールの貯溜水は搬送ボックスに流れ込む。
【０００９】
仕切りゲートを全開することにより、下流への流れは中断するが、再び、仕切りゲートを全閉することにより、貯水プールへ給水され下流（魚道）に通常の流れが形成される。この間に、搬送ボックスを貯水池水面の所定深さの位置まで降下させ、貯水プール内に収容された集魚を水中に放流する。その後、搬送ボックスを上昇させ貯水プールの貯溜水を受ける位置に待機させることにより遡上魚の受け入れ準備が完了する。このように仕切りゲートおよび搬送ボックスを操作して魚の遡上を支援する。
【００１０】
次に、降下魚を下流へ導く操作を説明する。搬送ボックスは下降させて貯水面より水中の所定位置に待機させておき、集魚した後、搬送ボックスを上昇させる。搬送ボックスの上部が仕切りゲートの下端より上方に移動するようになると、搬送ボックスの側壁に付設したローラが仕切りゲートのカムに接触し、搬送ボックスの上昇と共に、ローラがカムに沿って動くので側壁が徐々に傾倒する。全閉状態の仕切りゲートの上端に搬送ボックスの下端が位置したときには、傾いた側壁の上部は仕切りゲートの上端に載って貯水プール側に倒れる。この側壁を床面として、貯溜水と共に下降魚が貯水プールに流れ込む。そして、貯水プールに収容された下降魚は隔壁を乗り越え下流に泳いでいく。この後、搬送ボックスを下降させるとローラがカムに沿って移動し、再び、側壁が起立しそのまま貯水面の所定位置に待機させることで下降魚を集魚させる。
【００１１】
この隔壁の下流側に魚道を構築したことにより魚は下流域に移ることができる。また、満水位より水位が高くなると下流への流量が多くなるので制水ゲートを閉じる。
【００１２】
搬送ボックスを下降させて所定位置に停止させるときは、搬送ボックスの下降中、床面の蓋が水圧で押し上げられ水が浸入する。また、シャワー用配管から散水し、水中ランプを点灯することで下降魚の魚に動因を与え、魚をボックス内に確実に誘導をする。集魚が終わり搬送ボックスを上昇させるときは、散水停止、水中ランプの消灯を行う。
【００１３】
搬送ボックスが貯水面で停止しているときは重り兼フロートが浮力により上昇し、これによりワイヤで接続された金網壁は下降して搬送ボックスの側壁上端と近接し魚の移動を規制する。搬送ボックスの上昇中、水抜き孔から内部の水が流れ、定量水面になると魚の飛び出しが防止され、これと同時に重り兼フロートが水面から引き上げられるのでこの重さによりワイヤが引っ張られて金網壁は搬送ボックスの側壁上方に移動させられる。また、貯水プールに供給する水は貯水池の深い位置の水である場合、冷水のこともあり発熱体を加熱して配管を暖め供給する水が適温となるようにする。
【００１４】
【実施例】
以下、本発明の実施例を添付図面に基づいて説明する。まず、図１４、図１５に示すダム６の上流側壁面には昇降式魚道とするための架構７が壁面に鉛直に構築され、この上部にステージ８が設けられている。架構７は鋼製（形鋼）の水平材および鉛直材によって四角柱状に組み付け、水平材間に斜め材を連結させて強固にし、四角形状の内部に搬送ボックス９を上・下方向に案内するように構築している。さらに、ダム壁面から上流側に突出した位置に配した、左右の連続した鉛直材にはこの上流側面に長いＨ状形鋼１０（図５、図６参照）を平面が前面に位置するように連結させ、左右の形鋼１０に一定間隔で連結材（へん平した円管）１１を水平に連結している。
【００１５】
ダム６には固定隔壁式魚道１２が設けられ、その上流端はステージ８の上部位置に臨んだ開口部１３と連通し、開口部１３には扉体１４がローラー方式の制水ゲート１５が設けられ、その上方の操作室１６で開閉させるようになっており、通常、全開であるが貯水位が常時満水位以上の規定水位以上になると全閉させている。
【００１６】
図１および図２に示すように、ステージ８の表面は固定隔壁式魚道１２の隔壁１７の最上位置の底部と同じ高さにさせており、ステージ８には開口部縁側に連絡し開口部１３に対向するＬ字状の導水壁１８が設けられ、ダム６の壁面と導水壁１８との間に扉体１９がスライド方式の仕切りゲート２０が設置されて貯水プール２１が形成されている。導水壁１８の側方には貯水プール２１に給水するための揚水ポンプ装置２２の配管２３が支持台２４に固定され、チェックバルブ２５および流量調節バルブ２６を通して導水壁１８の内側に開口している。また、仕切りゲート２０に隣接して主要な４本の鉛直材による架構７がステージ８を貫通し、架構７の内部に配置した搬送ボックス９を案内するようになっている。
【００１７】
仕切りゲート２０の扉体１９のスキンプレート２７と反対側には、上部をスキンプレート側に円弧状に曲げたカム２８を左右に突設している。また、扉体１９を昇降させる巻上機２９はステージ８の上方の作業台３０に設置されている。作業台３０は搬送ボックス９、制水ゲート１５の点検、整備に利用される。扉体１９と接触する床面は貯溜水と一緒に集魚が搬送ボックス９に流れ込み易くするため傾斜されている。このほか、隔壁１７には切欠部３１と潜孔３２が形成されている。潜孔３２は隔壁形式が異なれば形成されない。
【００１８】
揚水ポンプ装置２２は図４に示すように、貯水プール２１に接続した配管２３が支持台２４に固定されており、支持台２４にはダム６に固定して下方に延設した保護管３３が取付けられ、その中に収納した繰り出し管３４がステージ８の配管２３と接続されている。繰り出し管３４は最低水位の水面から必要深さの所に位置決めした水中モータポンプ３５の上部と接続している。
水中モータポンプ３５の位置を深い位置に設定するので、ダム６の建設地点の気象および魚類の遡上期、降下期において寒気のときは冷水を揚水し、魚類の生態に支障を与える虞が考えられる。このため、ステージ上の配管２３に鋼管発熱式または電熱線式などによる熱発熱体を取付け、揚水がその間を通過するときに加熱し水温を上げるようにする。
【００１９】
次に、搬送ボックス９について図６ないし図１３を参照して説明する。まず、搬送ボックス９の形状は、図６、図７に示すように直方体で外郭は形鋼で構成し、下半分を鋼板で囲んで魚の収容箱とし、仕切りゲート側の側壁３６は下端に軸３７が挿通され回動自在に設けられており、搬送ボックス９の本体側周縁は水密ゴム３８（図８参照）が取付けられている。搬送ボックス９の上半分の左岸側とダム側は固定金網壁３９が取付けられ、右岸側（仕切りゲート側）の金網壁４０は上下動自在に取付けられ、また、正面上流側には金網壁を設けず常時開放し魚の出入口にしている。
【００２０】
また、搬送ボックス９を昇降させるために、上面に操作室内の巻上機４１（図１４参照）からのワイヤ４２をつるすローラ４３が取付けられ、図８、図１０に示すように、搬送ボックス９の上下、四隅には案内ローラ４４が取付けられ、それぞれの箇所には２つの案内ローラ４４を上下方向にずらして配置し、それぞれ架構内の縦横方向の鉛直材の面に接触するようにしている。この接触面には長尺のレール板７１を取付けて継ぎ目を少なくしている。また、回動する側壁３６の軸部には、回動する側壁３６の邪魔にならない下部の位置にブラケット４５を取付けて案内ローラ４４を設けている。
【００２１】
また、回動する側壁３６は上部外側面に案内ローラ４６が取付けられ、仕切りゲート背面のカム２８と接触するようになっており、昇降時の搬送ボックス９の位置により回動する側壁３６の角度が規制される。この側壁３６が起立して搬送ボックス９の内部に水が流れ込む時は、他の側壁４７に明けた孔４８から水がこぼれるようにしてあるので、貯水水面は下半分の収容部上端より少し下げた位置になる。
【００２２】
また、搬送ボックス９内に確実に集魚するため、ボックス上部には水滴またはシャワーを散水するための配管４９とポンプ５０を備えたシャワー装置５１（図６、図７参照）を取付けると共に、図９、図１１に示すようにボックス底部には魚の好む彩色を放つ水中ランプ５２を配置し、床面に明けた孔に自重で閉じる蓋５３を軸により回動自在に取付けている。
【００２３】
図７、図１２および、図１３に示すように、仕切りゲート側（上部、右岸側）の金網壁４０の上方には支持台５４が設置されローラ５５が取付けられ、また、この面と対向する側のボックス上部にもローラ５５が取付けられワイヤ５６が掛けられている。支持台５４側のワイヤ端部に金網壁４０が吊され、ワイヤ５６のもう一方の端は重り兼フロート５７に垂直に連結された丸棒５８と接続されており、重り兼フロート５７が搬送ボックス９の下部に接触した状態で、金網壁４０が全閉状態になるようにワイヤ５６の長さが調節されている。
【００２４】
このほか、図１に示すように、作業台３０の右側上方には揚水ポンプ装置２２の定期点検、整備のための作業用踊り場５９があり、チェンブロック６０およびフック６１を備えている。この作業用踊り場５９とステージ８とを足場にして揚水ポンプ装置２２、制水ゲート１５、仕切りゲート２０等の分解組み立てを行うことができる。
【００２５】
このように構成した昇降式魚道は仕切りゲート２０を全閉することで貯水プール２１を形成する。また、貯水プール２１に揚水ポンプ装置２２によって水を供給すると過剰の水は隔壁を越して流れ、魚道１２に水流が形成される。また、貯水プール２１に供給する水は貯水池の深い位置の水である場合、冷水のこともあるので発熱体（図示せず）を加熱して配管２３を暖め、供給する水が適温となるようにする。これにより、ダム下流河川よりの遡上魚を貯水池プール２１に集魚すると共に降下魚の降下運動を促進する。
【００２６】
遡上魚に対しては、図３に示すように、搬送ボックス９は貯水プール２１の床面にボックス中央部を合わせて待機させておく。このとき、重り兼フロート５７の重さで金網壁４０が上方移動している。そして、遡上してきた魚が貯水プール２１に集魚されたとき、または所定時間経過後、仕切りゲート２０の扉体１９を引き上げる。これによって魚は貯溜水と共に搬送ボックス９内に収容される。この後、搬送ボックス９を降下させる。
【００２７】
搬送ボックス９が水面に着く前に重り兼フロート５７が水面に到達しこの浮力により金網壁４０は徐々に閉じられる。また、搬送ボックス９が水中に沈むにつれ、水圧バランスが崩れたときに蓋５３は圧力差で開くことになる。魚は固定金網壁３９、金網壁４０により上流側に向け放流される。そして再び搬送ボックス９を所定位置に引き揚げ、これを繰り返すことによって魚の遡上を支援する。
【００２８】
降下魚に対しては、搬送ボックス９を貯水池の水面に配置したら、搬送ボックス９の前方に滞留している魚をより確実に搬送ボックス９内に誘導するため、搬送ボックス９内に配置したシャワー装置５１を間欠的に作動させ、天井から水滴またはシャワーを噴霧し、床面の水中ランプ５２から魚の好きな彩色を放つようにする。魚は金網壁３９，４０のない上流側から入り集魚される。搬送ボックス９を上昇させると、側壁４７の孔４８から過剰な水が放出され、貯溜水の水位が決められる。また、仕切りゲート側の金網壁４０は引き上げられる。
【００２９】
搬送ボックス９の仕切りゲート側側壁３６に取付けられたローラ４６が仕切りゲート２０のカム２８に沿って移動すると、この側壁３６が回動し徐々に倒れて行く。図１に示すように、搬送ボックス９が仕切りゲート２０の扉体１９より高い位置になると、回動する側壁３６が床面となって搬送ボックス９内の貯溜水は貯水プール２１に放出される。貯水プール２１に移された降下魚は隔壁１７を越えて下流に行くようになる。貯溜水を放出した搬送ボックス９は空の状態で下降しダム水面に達すると浮力によって下降スピードが落ちるが、圧力差によって蓋５３が開き水が入り込むことによってスピードを速めることができる。
【００３０】
次に、図１４、図１６に示すように、この昇降式魚道を利用した人工水路６２について説明する。人工水路６２は下流側端、中間部および上流側端にフロート基地６３を設け、これらを連絡するロープ６４に水路壁となる可撓膜６５を設け、ロープ全長に渡って小フロート６６を並設しており（図１７参照）、フロート基地６３はワイヤ６７によってアンカーブロック６８と連結されている。また、図１８ないし図２２に示すように、各フロート基地６３には水路中に水車６９を設置している。また、図２０、図２１に示すように、水車６９は駆動装置７０と減速機７１により回転させている。
【００３１】
図１９に示すように、人工水路６２の上流側端のフロート基地６３には集魚用の水中ランプ５２やシャワー装置５１が取付けられている。
【００３２】
人工水路６２の下流側端のフロート基地６３には、図２０ないし図２２に示すように、その端部に水路を遮断するスクリーン７２が上下動自在に取付けられると共に、スクリーン７２の開閉機７３が設けられている。また、フロート基地６３の下部には引っ掛け金物７４が固着され、架構上流側の正面のＨ状形鋼１０に上下動自在に係合させている。
【００３３】
人工水路６２と昇降式魚道を利用した場合、下流側端のフロート基地６３にバラスト７５を載せて、搬送ボックス９の停止位置に連絡するようにする。これにより上流側端のシャワー装置５１等に誘導されて降下魚が水路の流れに沿って降下すると、貯水面水位の定位置に停止している搬送ボックス９内に誘導される。この方式によればダム６による変動のある貯水面を避けて下流に移動することができる。また、ダムのように貯水面が広い場合や、ダム水面を上流からの流木、ごみ等から防ぐようにダム上流側に網場が仕掛けられている場合には、遡上魚はダムの中で停滞してしまうことになるが、人工水路６２によって上流へ行かれるようになる。
【００３４】
【発明の効果】
本発明は、以上のように構成したものであるので、架構内を搬送ボックスが昇降し、搬送ボックスの停止位置が仕切りゲートの下部に位置したときには、貯水プールの遡上魚の入った貯溜水を、仕切りゲートを開けて搬送ボックスに受け渡すことができる。また、搬送ボックスの停止位置が仕切りゲートより上位置にあるときは、側壁（３６）が仕切りゲートの上部に倒れ、搬送ボックスの降下魚の入った貯溜水は貯水プールに流れ込む。また、搬送ボックスが降下したときは堤体（ダム）のそのときの水面に停止させ魚を放流、または集魚する。このようにして、遡上魚、降下魚の受け渡しができ、しかも、堤体による貯水面の変動に影響されることがないという効果がある。
【図面の簡単な説明】
【図１】本発明による実施例のダム上流側壁面に設けた昇降式魚道装置を示す断面図である。
【図２】図１に示す昇降式魚道装置の平面図である。
【図３】図１に示す昇降式魚道装置の要部断面図である。
【図４】図１に示す昇降式魚道装置に付設したポンプ装置の側面図である。
【図５】図１に示す昇降式魚道装置の側断面図である。
【図６】図１に示す昇降式魚道装置の搬送ボックスの上面図である。
【図７】図１に示す昇降式魚道装置の搬送ボックスの側断面図である。
【図８】図６に示す搬送ボックスの案内ローラーを示す平面図である。
【図９】図６に示す搬送ボックスの床面を示す平面図である。
【図１０】図１に示す昇降式魚道装置の搬送ボックスの側面図である。
【図１１】図６に示す搬送ボックスの床面を示す断面図である。
【図１２】図６に示す搬送ボックスの側面図である。
【図１３】図６に示す搬送ボックスの側面図である。
【図１４】図１に示す昇降式魚道装置を設置したダムの側断面図である。
【図１５】図１に示す昇降式魚道装置を設置したダムの上流側壁面の正面図である。
【図１６】実施例の昇降式魚道装置を利用した人工水路の上面図である。
【図１７】図１６に示す人工水路の中間部水路の断面図である。
【図１８】図１６に示す人工水路の中間部のフロート基地の側面図である。
【図１９】図１６に示す人工水路の上流側端のフロート基地の断面図である。
【図２０】図１６に示す人工水路の下流側端のフロート基地の側面図である。
【図２１】図１６に示す人工水路の下流側端のフロート基地の平面図である。
【図２２】図１６に示す人工水路のフロート基地に設置した水車を示す断面図である。
【図２３】従来の昇降式魚道の要部断面図である。
【符号の説明】
６  堤体
７  架構
８  ステージ
９  搬送ボックス
１２  魚道
１３  開口部
１５  制水ゲート
１７  隔壁
１８  導水壁
２０  仕切りゲート
２１  貯水プール
２３  配管
２８  カム
３６  側壁
３７  軸
４０  金網壁
４６  ローラ
４７  側壁
４８  水抜き孔
４９  シャワー用配管
５２  水中ランプ
５３  蓋
５６  ワイヤ
５７  重り兼フロート
【図１】
0003600968.tif 000002
【図２】
0003600968.tif 000003
【図３】
0003600968.tif 000004
【図４】
0003600968.tif 000005
【図５】
0003600968.tif 000006
【図６】
0003600968.tif 000007
【図７】
0003600968.tif 000008
【図８】
0003600968.tif 000009
【図９】
0003600968.tif 000010
【図１０】
0003600968.tif 000011
【図１１】
0003600968.tif 000012
【図１２】
0003600968.tif 000013
【図１３】
0003600968.tif 000014
【図１４】
0003600968.tif 000015
【図１５】
0003600968.tif 000016
【図１６】
0003600968.tif 000017
【図１７】
0003600968.tif 000018
【図１８】
0003600968.tif 000019
【図１９】
0003600968.tif 000020
【図２０】
0003600968.tif 000021
【図２１】
0003600968.tif 000022
【図２２】
0003600968.tif 000023
【図２３】
0003600968.tif 000024